(57)【要約】【課題】カバーを開方向に無理に回動させた場合に、部材が外れる構成を採用せずに、ユーザーに、カバーを無理に開けていることを気づかせるとともに、それにも拘わらずカバーを強制的に開方向に回動させる力が作用した場合には、カバーの回動をストップさせる構造を備える開閉カバーの過剰開動作規制装置を提供すること。【解決手段】回動可能な開閉カバー１２と、回動軸３７と一体的に回動可能で一端側が開閉カバーと接続されている可撓性部材３９とを備える。開閉カバーを開位置よりも更に開方向に回動させる力を掛けたとき、回動軸は回転せずに可撓性部材３９の撓みにより開閉カバーが開位置よりも開方向に回動可能であり、開閉カバーが開位置より所定角度だけ回動した時点で、開閉カバーが開口部を備える装置の当接部に当接してそれ以上の開方向への回動を規制する。【選択図】        図１１
2005081751.tif 000002
【特許請求の範囲】
【請求項１】
開口部を備える装置の開口部を覆うように取り付けられ、回動軸が回転することにより該回動軸の周囲で閉位置と開位置との間で回動可能な開閉カバーと、
前記開閉カバーに接続された撓み可能なアーム部を備え、前記回動軸と一体的に回動可能な可撓性部材とを備え、
前記開閉カバーを前記開位置よりも更に開方向に回動させる力を加えたとき、前記回動軸は回転せずに前記アーム部の撓みにより前記開閉カバーが前記開位置よりも開方向に回動可能であり、
前記開閉カバーが前記開位置よりも所定角度だけ開方向に回動した時点で、前記開閉カバーの部分が前記開口部を備える装置の当接部に当接して、それ以上の開方向への回動を規制することを特徴とする開閉カバーの過剰開動作規制装置。
【請求項２】
請求項１において、前記可撓性部材が係合面を有する係合片を備え、前記開口部を備える装置には、前記開閉カバーが開方向に回動するとき、前記係合面と当接して前記可撓性部材のそれ以上の回動を規制する回動規制面が形成された回動規制部が形成されており、前記開閉カバーが開位置にあるとき、前記係合面が回動規制面に当接することを特徴とする開閉カバーの過剰開動作規制装置。
【請求項３】
請求項１または２において、前記開口部を備える装置は液体噴射装置であることを特徴とする開閉カバーの過剰開動作規制装置。
【請求項４】
請求項３において、前記液体噴射装置はプリンタであり、前記開閉カバーはキャリッジの走査経路へ臨む開口部を覆っていることを特徴とする開閉カバーの過剰開動作規制装置。
【請求項５】
請求項４において、前記当接部は、プリンタに装着される自動給送装置のサイドフレームの上面であることを特徴とする開閉カバーの過剰開動作規制装置。
【請求項６】
請求項１〜５のいずれかに記載の開閉カバーの過剰開動作規制装置を備えることを特徴とする液体噴射装置。
【発明の詳細な説明】
【技術分野】
【０００１】
本発明は、インクジェット式記録装置等の液体噴射装置などにおける開閉カバーの過剰開動作規制装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
例えば特許文献１（特開平６−４２２５４号公報）には、樹脂性ハウジング本体側に対し開閉可能な樹脂のカバーに開放方向に無理な力が作用してもハウジング本体側あるいはカバー側の破損を防止する構成が開示されている。この構成は、ハウジング本体の背面内側に設けられたコ字状の支持ヒンジと、プリンタカバーに設けられほぼ円弧状に形成された回動ヒンジからなる。支持ヒンジの脚部には固定側回動支持部支持孔を形成し、回動ヒンジの直線部の端部は脚部間に挿入可能で両側面に半球状の突起を形成している。支持孔と突起を係合し、ここを支点にプリンタカバーが回動する。また、回転ヒンジの直線部の両側面には、くさび傾斜部が形成されており、プリンタカバー全開から更に開方向に回動させた場合脚部間に入り込んで脚部を押し拡げ支持孔と突起が相互に外れ、無理な力が掛からないようにしている。
【０００５】
上記のような構造では、プリンタカバーの全開状態から更に開方向に無理な力が作用した場合には、ハウジング本体側の支持ヒンジと、プリンタカバー側の回動ヒンジとは相互に外れるので、各ヒンジには無理な力がかからず各ヒンジ及び、各ヒンジのハウジング本体，プリンタカバーへの取付部位の破損が防止される。
【０００６】
しかし、支持ヒンジと回動ヒンジとが外れた状態から両者を組付けるには、回動ヒンジ側先端の回動突起を支持ヒンジ先端の案内溝を通じて上方に移動させ、これにより、回動突起を支持孔内に入れ、回動ヒンジと支持ヒンジとを組付ける作業が必要となる。
【０００７】
【特許文献１】特開平６−４２２５４号公報
【発明の開示】
【発明が解決しようとする課題】
【０００８】
本発明の目的は、カバーを開方向に無理に回動させた場合に、部材が外れる構成を採用せずに、ユーザーに、カバーを無理に開けていることを気づかせるとともに、それにも拘わらずカバーを強制的に開方向に回動させる力が作用した場合には、カバーの回動をストップさせる構造を備える開閉カバーの過剰開動作規制装置及びこれを備える液体噴射装置を提供することにある。
【課題を解決するための手段】
【０００９】
上記課題を達成するため、本発明の第１の態様に係る開閉カバーの過剰開動作規制装置は、開口部を備える装置の開口部を覆うように取り付けられ、回動軸が回転することにより該回動軸の周囲で閉位置と開位置との間で回動可能な開閉カバーと、前記開閉カバーに接続された撓み可能なアーム部を備え、前記回動軸と一体的に回動可能な可撓性部材とを備え、前記開閉カバーを前記開位置よりも更に開方向に回動させる力を加えたとき、前記回動軸は回転せずに前記アーム部の撓みにより前記開閉カバーが前記開位置よりも開方向に回動可能であり、前記開閉カバーが前記開位置よりも所定角度だけ開方向に回動した時点で、前記開閉カバーの部分が前記開口部を備える装置の当接部に当接して、それ以上の開方向への回動を規制することを特徴とするものである。
【００１０】
本発明の第１の態様によれば、開位置において開閉カバーに開方向への力が付与されていないときには、開閉カバーは開位置において停止する。開位置において開閉カバーに開方向への力が付与された場合には、回動軸と、可撓性部材のアーム部以外の部分はそれ以上回動することなく、アーム部が撓むことで開閉カバーが開方向へ更に回動することができる。従って、アーム部の撓みの反作用による開閉カバーの押し込み時の抵抗力により、開閉カバーの開動作が過剰であることを、ユーザーに気付かせる機会を与えることができる。ユーザーが、アーム部の撓みの反作用による開閉カバーの押し込みの抵抗に気が付かない場合には、最終的に開閉カバーの部分が開口部を備える装置の当接部に当接して、それ以上の開方向への回動が規制されるため、開閉カバーに無理な力が作用して破損することが防止される。
【００１１】
また、本発明の第２の態様に係る開閉カバーの過剰開動作規制装置は、上記第１の態様において、前記可撓性部材が係合面を有する係合片を備え、前記開口部を備える装置には、前記開閉カバーが開方向に回動するとき、前記係合面と当接して前記可撓性部材のそれ以上の回動を規制する回動規制面が形成された回動規制部が形成されており、前記開閉カバーが開位置にあるとき、前記係合面が回動規制面に当接することを特徴とするものである。本態様によれば、開閉カバーが閉位置にあるとき、係合面と回動規制面とは回動軸の周方向で、一定の円周角分だけ離れている。開閉カバーが開方向へ回動するに従い、係合面は回動規制面に接近し、開閉カバーが開位置となったとき係合面が回動規制面に当接するため、これ以降、開閉カバーが開方向に回動しても、回動軸及び可撓性部材のアーム部以外の部分はそれ以上回動することができない。
【００１２】
また、本発明の第３の態様に係る開閉カバーの過剰開動作規制装置は、上記第１または第２の態様において、前記開口部を備える装置は液体噴射装置であることを特徴とするものである。本態様によれば、開閉カバーの破損が少ない液体噴射装置を提供できる。
【００１３】
また、本発明の第４の態様に係る開閉カバーの過剰開動作規制装置は、上記第３の態様において、前記液体噴射装置はプリンタであり、前記開閉カバーはキャリッジの走査経路へ臨む開口部を覆っていることを特徴とするものである。本態様によれば、インクカートリッジの交換等で頻回開閉する開閉カバーが破損しにくくなる。
【００１４】
また、本発明の第５の態様に係る開閉カバーの過剰開動作規制装置は、上記第４の態様において、前記当接部は、プリンタに装着される自動給送装置のサイドフレームの上面であることを特徴とするものである。本態様によれば、既存のサイドフレームの上面を当接部として利用できるため、新たに当接部を設ける必要なく、より廉価なプリンタを提供できる。
【００１５】
また、本発明の第６の態様に係る液体噴射装置は、上記第１〜第５のいずれかの態様の開閉カバーの過剰開動作規制装置を備えることを特徴とするものである。本態様によれば、上記本発明の第１〜第５の態様による作用効果を備える液体噴射装置を提供することができる。
【発明を実施するための最良の形態】
【００１６】
以下、本願発明の実施の形態を図面に基づいて説明する。図１は本発明に係る開閉カバーの過剰開動作規制装置を適用した記録装置または液体噴射装置の一例であり、また開口部を備える装置に相当するインクジェットプリンタ１（以下、単にプリンタ１という）を示す正面斜め上方から見た斜視図であり、図２はプリンタを正面側右斜め上方から見た斜視図であり、図３はプリンタを背面側右斜め上方から見た斜視図であり、図４はプリンタの内部構造を示す側断面図である。
【００１７】
図１に示す如く、プリンタ１は、プリンタ本体３と、該プリンタ本体３の後方上部に設けられる給送部５と、プリンタ本体３の前方に形成される排出部７とを備えて成る。給送部５は、被記録媒体Ｐをプリンタ本体側へ自動給送する構造、即ち自動給送装置を備えており、図１に示す如く、自動給送装置のサイドフレーム６の間に複数枚の被記録媒体Ｐを積載可能な給送トレイ１１を備えている。排出部７は記録された被記録媒体Ｐを一時的にスタックする部分であり、図２に示す如く、前方側へ回動することで被記録媒体Ｐをスタックするスタック面８を提供する排出トレイ９を備えている。図３に示す如く、プリンタ本体３には、背面側に前記２つのサイドフレーム６を挟み込むように２つの突出フレーム４が形成され、その両側が凹状に凹んだ領域を有する形態である。また図１、図２に示す如く、プリンタ本体３の上面には、操作パネル１０と本発明に関連する開閉カバー１２とが設けられている。開閉カバー１２の構造については後述する。
【００１８】
図４に示す如く、給送トレイ１１の直ぐ下流側には給送ローラ１３が設けられている。給送ローラ１３は、対向する分離ローラ１４との間で給送トレイ１１の最上部に位置する被記録媒体Ｐを挟圧して、前方へ送り出す作用をする。
【００１９】
送り出された被記録媒体Ｐは、下側の送り駆動ローラ１５及び上側の送り従動ローラ１７から構成される送りローラ１９に至り、駆動系により記録工程における精密な送り動作を受けながら、送りローラ１９の下流側に位置する記録ヘッド２１へ給送されるようになっている。
【００２０】
記録ヘッド２１は、キャリッジ２３に支持されており、キャリッジ２３は、ガイドバー２５に沿って給送方向と直交する方向（主走査方向）へ往復運動できるようになっている。記録ヘッド２１と対向する位置にはプラテン２４が設けられ、該プラテン２４は、記録ヘッド２１によって被記録媒体Ｐに記録を行う際に、被記録媒体Ｐを下側から支持する作用を担う。
【００２１】
記録ヘッド２１とプラテン２４との距離、即ちペーパーギャップは、記録ヘッド２１を支持するキャリッジ２３を上下動させることにより、被記録媒体Ｐの厚さに応じて適宜調節可能である。ペーパーギャップが適正に調整されている状態では、被記録媒体Ｐはプラテン２４上を滑らかに通過しながら、高品質の記録が行なわれるようになっており、記録ヘッド２１で記録された被記録媒体Ｐは、排出部７に設けられる排出ローラ２７によって順次排出される。排出ローラ２７は、下側の排出駆動ローラ２９及び上側の排出ギザローラ３１から構成されており、被記録媒体Ｐが排出駆動ローラ２９の回転駆動により引き出されてスタック面８上へ排出される機構となっている。
【００２２】
次に、図５〜図１５を参照しながら、本願発明の特徴的構成を備える開閉カバー１２について説明する。図５は開閉カバー１２が開放している様子を示すプリンタの斜視図であり、図６は開閉カバーの回動軸周辺の拡大斜視図であり、図７は開閉カバーの閉鎖状態におけるプリンタの上面図であり、図８は開閉カバーの閉鎖状態における図７のＡ−Ａ線に沿った側断面図であり、図９は開閉カバーの閉鎖状態における図７のＢ−Ｂ線に沿った側断面図である。また図１０は開閉カバーが開位置まで開放した状態におけるプリンタの上面図であり、図１１は開閉カバーが開位置まで開放した状態における図１０のＡ−Ａ線に沿った側断面図であり、図１２は開閉カバーが開位置まで開放した状態における図１０のＢ−Ｂ線に沿った側断面図であり、図１３は開閉カバーが当接位置まで開方向に回動した状態におけるプリンタの上面図であり、図１４は開閉カバーが当接位置まで開方向に回動した状態における図１３のＡ−Ａ線に沿った側断面図であり、図１５は開閉カバーが当接位置まで開方向に回動した状態における図１３のＢ−Ｂ線に沿った側断面図である。
【００２３】
図５に示す如く、プリンタ本体３の上面には、キャリッジ２３が主走査方向に走査する範囲にアクセスできるように開口部３３が形成されており、開閉カバー１２は、この開口部３３を開閉可能である。尚、本明細書では、図１に示す如く開閉カバー１２が閉鎖している時の位置を開閉カバーの「閉位置」と称し、図５に示す如く開閉カバー１２が何らの力が加わっていない状態で開放している時の位置を開閉カバーの「開位置」と称することにする。また「閉位置」から「開位置」の方へ開閉カバー１２が回動する方向を「開方向」と定義する。
【００２４】
開閉カバー１２は、プリンタ本体３上面の後方側の左右両側に設けられる回動部３５で回動することにより開閉動作が可能である。図６、図８、図１１及び図１４に示す如く、各回動部３５は、断面がほぼ競技トラック型をした回動軸３７と、回動軸３７の周囲に固定される金属製の可撓性部材３９とを備えている。図９、図１２及び図１５に示す如く、回動軸３７の基端側はオイルダンパー４１に接続されており、そのダンピング作用により回動軸３７の急激な回転を抑制している。
【００２５】
可撓性部材３９には、回動軸３７の周囲に丁度嵌まり込む形状の筒状の基部４３と、基部４３から外方へ長く延び、弾性的に撓むことができるアーム部４５と、アーム部４５とほぼ反対方向の基部４３から外方へ延びる鉤状の係合片４７とが形成されている。図６、図８、図１１及び図１４に示す如く、プリンタ本体３の上面後方側にはハウジング４９の一部が凹状に形成され、そこに可撓性部材３９における係合片４７と係合可能な鉤状の回動規制部５１が形成されている。係合片４７の先端には係合面４８が形成されており、この係合面４８が回動規制部５１に形成された回動規制面５２に当接したとき、可撓性部材３９のそれ以上の回動が規制されるようになっている。
【００２６】
可撓性部材３９のアーム部４５は、開閉カバー１２の内面に沿って延びており、開閉カバー１２の内面に形成された係止部５３に係止することで開閉カバー１２と一体的な動きをする。
【００２７】
以下、本願発明の開閉カバーの過剰開動作規制装置の作用について説明する。図７〜図９に示す如く、開閉カバー１２が「閉位置」にあるときには、図８に示すように可撓性部材３９の係合片４７は、ハウジング４９の回動規制部５１から回動軸３７の周方向で、円周角にしてほぼ１２０度離れている。この状態から図８において、回動軸３７、可撓性部材３９及び開閉カバー１２が時計回り方向に回動可能である。
【００２８】
次に、図１０〜図１２に示す如く、ユーザーが開閉カバー１２を「閉位置」からゆっくりと開放したときには、開閉カバー１２の回動に伴い、係合片４７が回動して回動規制部５１へ接近する。開閉カバー１２が「開位置」まで回動したときには、図１１に示す如く係合片４７の係合面４８が回動規制部５１の回動規制面５２に当接し、この時点で開方向への外力が付与されない限り、開閉カバー１２は「開位置」に維持され続ける。
【００２９】
ユーザーが開閉カバー１２を「閉位置」から急激に開けたり、あるいは「開位置」まで開けた後も更に開方向へ押し込むような動作をした場合には、開閉カバー１２は「開位置」を越えて図１３〜図１５に示すような状態となる。即ち、開閉カバー１２が「開位置」を越えて開方向へ押し込まれたとき、係合面４８が回動規制面５２に当接しているため、回動軸３７と可撓性部材３９の基部４３とはそれ以上回動せず、これに代わりアーム部４５が開閉カバー１２の回動に伴い撓むようになる。ユーザーは、アーム部４５の撓みに伴い生じる開方向とは逆方向へのアーム部の復帰傾向により、開閉カバー１２を押し込むときに抵抗を感じるようになるため、これに気付いたユーザーは開閉カバー１２の押し込み動作を止め、開閉カバー１２から手を離すようになる。手が離された開閉カバー１２は、可撓性部材３９の撓み状態から元の状態に復帰する力により自動的に「開位置」まで戻される。
【００３０】
しかしユーザーが、開閉カバー１２を押し込むときの抵抗に気が付かなかったり、開閉カバー１２が一気に「開位置」を越えて回動する場合がある。そこで、開閉カバー１２が「開位置」よりも所定角度だけ回動した時点で、開閉カバー１２の上面の被当接部５５がサイドフレーム６の上面５７（当接部に相当する）に当接して、それ以上の開方向への回動を規制している。これによりユーザーが「開位置」を越えて開閉カバー１２を開方向に押し込んだ場合でも、開閉カバー１２の被当接部５５がサイドフレーム６の上面５７に当接するため、開閉カバー１２の回動はそこでストップし、開閉カバー１２の破損を免れることができる。
【００３１】
尚、開閉カバー１２の被当接部５５は開閉カバー１２のどの部分または開閉カバー１２と一緒に回動する部材の部分でもよく、被当接部５５が当接する部分、即ち当接部は、サイドフレーム６以外で開閉カバー１２の開方向側に位置するどのような部分でも構わない。
【産業上の利用可能性】
【００３２】
本発明は、インクジェットプリンタなどの液体噴射装置等における開閉カバーを、通常の開位置を越えて開放した場合でも、開閉カバーの破損を防止することができる。
【図面の簡単な説明】
【００３３】
【図１】プリンタを正面斜め上方から見た斜視図である。
【図２】プリンタを正面側右斜め上方から見た斜視図である。
【図３】プリンタを背面側右斜め上方から見た斜視図である。
【図４】プリンタの内部構造を示す側断面図である。
【図５】開閉カバーが開放している様子を示す斜視図である。
【図６】開閉カバーの回動軸周辺の拡大斜視図である。
【図７】開閉カバーの閉鎖状態におけるプリンタの上面図である。
【図８】開閉カバーの閉鎖状態における図７のＡ−Ａ線に沿った側断面図である。
【図９】開閉カバーの閉鎖状態における図７のＢ−Ｂ線に沿った側断面図である。
【図１０】開閉カバーが開位置まで開放した状態におけるプリンタの平面図。
【図１１】図１０のＡ−Ａ線に沿った側断面図である。
【図１２】図１０のＢ−Ｂ線に沿った側断面図である。
【図１３】開閉カバーが当接位置まで回動した状態におけるプリンタの平面図。
【図１４】図１３のＡ−Ａ線に沿った側断面図である。
【図１５】図１３のＢ−Ｂ線に沿った側断面図である。
【符号の説明】
【００３４】
１  プリンタ、３  プリンタ本体、４  突出フレーム、５  給送部、
６  サイドフレーム、７  排出部、８  スタック面、９  排出トレイ、
１０  操作パネル、１１  給送トレイ、１２  開閉カバー、１３  給送ローラ、
１４  分離ローラ、１５  送り駆動ローラ、１７  送り従動ローラ、１９  送りローラ、２１  記録ヘッド、２２  インクカートリッジ、２３  キャリッジ、２４  プラテン、２５  ガイドバー、２７  排出ローラ、２９  排出駆動ローラ、３１  排出ギザローラ、
３３  開口部、３５  回動部、３７  回動軸、３９  可撓性部材、４１  オイルダンパー
４３  基部、４５  アーム部、４７  係合片、４８  係合面、４９  ハウジング、
５１  回動規制部、５２  回動規制面、５３  係止部、５５  被当接部、５７  当接部、Ｐ  被記録媒体
【図１】
2005081751.tif 000003
【図２】
2005081751.tif 000004
【図３】
2005081751.tif 000005
【図４】
2005081751.tif 000006
【図５】
2005081751.tif 000007
【図６】
2005081751.tif 000008
【図７】
2005081751.tif 000009
【図８】
2005081751.tif 000010
【図９】
2005081751.tif 000011
【図１０】
2005081751.tif 000012
【図１１】
2005081751.tif 000013
【図１２】
2005081751.tif 000014
【図１３】
2005081751.tif 000015
【図１４】
2005081751.tif 000016
【図１５】
2005081751.tif 000017